(57)【要約】      （修正有）【課題】ドリップバッグ掛止部材であって、掛止部材のアーム部でバッグ本体を持ち上げるには、重心が上になり不安定になる。その不安定さを解消すること、又その解消するが為にドリップバッグの取扱が難しくならないようにする。【解決手段】掛止部材のアーム部の固着部のある端と反対側の一端で一体となり、誘導帯を経て、アーム部に隣接の補強部の両外側に、新たな掛止用フックを設ける機構を備えた掛止部材にし、更に新たな掛止用フックの外側フック片同士を連結することで、補強部にある掛止用フックと新たな掛止用フックが同時に掛止出来るようにした。【選択図】図２
0003135077.tif 000002
【実用新案登録請求の範囲】
【請求項１】
上端部に開口部を有し、カップ等に装着する為に、対向する２面の外表面に貼着等された掛止部材からなるドリップバッグの該掛止部材であって、該掛止部材はアーム部を有し、ドリップバッグの外表面に、該アーム部の上端或いは下端いずれか一端に隣接する固着部のみで連結され、該アーム部は、アーム部全長にわたり両側にそれぞれ折り目等を境に隣接する補強部と共に、固着部を起点に引き起こされるように形成され、補強部それぞれには、カップ等の上縁部に対する掛止用フックを設けたことを特徴とする、本出願者が平成１８年５月１８日、特願２００６−１３９０５２で発明した掛止部材の補強部に設けた掛止用フック以外に、該掛止部材に新たな掛止用フックを有する機構を設けたことを特徴とするドリップ・バッグの掛止部材。
【請求項２】
請求項１の掛止部材で、該固着部のあるアーム部端と反対側の一端でのみアーム部と一体となっていて、アーム部両側の補強部の外郭に沿って誘導帯を通し導かれ、該両補強部の外側に、新たな掛止用フックを有する機構を設けたことを特徴とするドリップ・バッグの掛止部材。
【請求項３】
請求項２の掛止部材で、該両補強部の外側に設けた新たな両側の掛止様フックの、掛止時にカップ等の外側になるフック片とフック片を連結する連結帯を設けたことを特徴とするドリップ・バッグの掛止部材。
【考案の詳細な説明】
【技術分野】
【０００１】
本考案は、コーヒー、緑茶等の成分抽出用バッグ或いはフィルター等をカップ等に直接掛止する技術に関する。
【背景技術】
【０００２】
掛止部材で、掛止用フックを有する掛止部を支持する為、掛止部一体となった支持部を設け、その支持部全体で袋本体に貼着等して固着するか、掛止部材にアーム部を設けて、その下端で袋等本体に固着し、その上端に掛止部を設けてアーム部に張力を与える形式のもの、又、掛止部材を略円筒型にして、その内側に袋本体を固着する形式のもの、更に掛止部材で袋本体を持ち上げるようにするが、その支持板を強くする為、支持柱を設けたものや、本出願者が特願２００６−１３９０５２で発明した掛止部材に設けたアーム部を、その両側を折り曲げることで補強し、袋本体を持ち上げるように装着する掛止部材がある。
【０００３】
【特許文献１】特開平５−１３７６５２号公報
【特許文献２】特開２００２−１７５７４号公報
【特許文献３】特開２００４−３５７９２９号公報
【特許文献４】特開２００５−２２４５６７号公報
【考案の開示】
【考案が解決しようとする課題】
【０００４】
本出願者が特願２００６−１３９０５で発明した掛止部材で、該掛止部材はアーム部の一端でのみ袋等に固着している。又、その固着部は掛止用フック即ちカップ等の上縁部より上に位置する場合が多く、不安定になる。又、掛止部材のサイズに制限があり補強部に設けたフックとフックの間隔を広くすることが出来ない為に、不安定にもなっている。この不安定さを解決するのが課題である。
【課題を解決するための手段】
【０００５】
本出願者の特願２００６−１３９０５で発明した掛止部材の固着部のあるアーム部端と反対側の一端でのみ該アーム部と一体となっていて、該アーム部両側の補強部の外郭に沿って導かれ、該補強部の外側両サイドに、新たな掛止用フックを有した機構を設けて、掛止用フックの数を２倍にすることで安定度を増し、又、新たなフックをカップ等に掛止しやすくする為、カップの外側になるフック片とフック片を連結した掛止部材とする。
又はアーム部と一体にした新たな機構を設けるのでなく掛止用フックを有する他部品をアーム部に貼着等して、前述のアーム部と一体化した新たな機構と同様の働きをする掛止部材とする。
【考案の効果】
【０００６】
本考案は、掛止用フックの数が少なくともドリップバッグ１個につき合計４個多くなり、又、該フックの間隔が広くなっている為、安定するし、更に掛止する時の煩わしさもかんじない。
【考案を実施するための最良の形態】
【０００７】
本出願者の特願２００６−１３９０５の発明した掛止部材ではアーム部の内側への倒れ込みは両側の補強部を引き起こすことで防止されたが、袋等重心が上にある為、補強部にあるフックのみではフックに負担が掛かり過ぎること、又、掛止部材の大きさに制限もあり、フックとフックの間隔が充分にとれず、横へ倒れる不安があったが、本考案の新たなフック機構を設けることで安定した掛止部材になった。又、従来の補強部にあるフックにカップ等の上縁部を掛止する作業で、新たなフックが自動的に掛止されるので煩わしさも生じない。
【実施例】
【０００８】
実施例については面１を参照にして説明すると、掛止部材１は中心に位置するアーム部２、そして折り目３を境に補強部４と補強部４に設けた掛止用フック５、該アーム部下端のみで一体となった誘導帯１２で補強部４の外側に設けられた掛止用フック６と掛止用フック６のカップ等の外側になるフック片７とフック片７を結ぶ連結帯８、そしてアーム部上端の固着部９と補強片１０より構成されていて、図面２はカップに掛止した時の掛止部材の各部位のカップの壁面との位置関係を示したものであり、補強部４を折り目３で引き起こし、アーム部２全体を補強し、補強部４を持って、アーム部2をカップの内側にし、連結帯８をカップの外側になるようにした後、補強部４にある掛止用フック５をカップの上縁に掛止すると、自動的に掛止用フック６もカップに掛止される。
【図面の簡単な説明】
【０００９】
【図１】本発明の掛止部材の平面図
【図２】本考案の掛止部材のカップに掛止した時の、各部位とカップの壁面との位置関係を示す。
【符号の説明】
【００１０】
１      本考案の掛止部材本体
２      アーム部
３      アーム部と補強部の境となる折り目（谷折り）
４      補強部
５      補強部に設けた掛止用フック
６      新たな機構に設けられた掛止用フック
７      掛止用フック６の外側フック片
８      掛止用フック６の両側の外側フック片７同士を結ぶ連結帯
９      固着部
１０      補強片
１１      固着部とアーム部の折り目（谷折り）
１２      誘導帯
１３      抽出液の計量穴
４１      カップ上縁部
【図１】
0003135077.tif 000003
【図２】
0003135077.tif 000004
【手続補正書】
【提出日】平成19年7月3日(2007.7.3)
【手続補正１】
【補正対象書類名】実用新案登録請求の範囲
【補正対象項目名】請求項１
【補正方法】変更
【補正の内容】
【請求項１】
上端部に開口部を有し、カップ等に装置する為にバッグの対向する２面の外表面に貼着等された掛止部材からなるドリップ・バッグの該掛止部材であって、該掛止部材はアーム部を有し、ドリップ・バッグの外表面に、該アーム部の上端或いは下端いずれか一端に隣接する固着部のみで連結され、該アーム部は、アーム部全長にわたり両側にそれぞれ折り目等を境に隣接する補強部と共に、固着部を起点に引き起こされるように形成され、該両側の補強部も前述の折り目等で引き起こし可能に形成され、それぞれの補強部にはカップ等の上縁部に対する掛止用フックを設けたことを特徴とする掛止用部材の該両側補強部に設けた掛止用フック以外に、新たな掛止用フックをアーム部を中心に左右両側に有する機構を設け、該機構はアーム部のみと連結していることを特徴とするドリップ・バッグの掛止部材